(57)【要約】【課題】マイクロコンピュータの異常検出による遮断弁閉栓後の復帰動作の安全性を確保することを目的とする。【解決手段】ガスの供給量を計測する流量計測部２０と、異常時に流路２を閉止する遮断弁３と、遮断弁３の駆動源である電池４と、遮断弁３を復帰させる復帰部５と、復帰部５の作動をロックし遮断弁３の復帰動作を禁止する復帰ロック部７と、マイクロコンピュータ８と、電池消耗監視手段２５、暴走監視手段９、センサ異常検知手段２７、漏れ異常検知手段２８、クロック監視手段１１からの異常信号が入力され、予め定めた条件で復帰動作を可能とする異常と、復帰動作を不可とする異常に分類する異常信号分類手段２９とを備え、異常信号分類手段２９で分類された異常信号に応じて第１の遮断モードと第２の遮断モードを選択する遮断モード選択手段を有する構成としてある。【選択図】図１
2008002828.tif 000002
【特許請求の範囲】
【請求項１】
ガスメータのガス流路内に設けられガスの通過量を計測する流量計測部と、流路内に設けられ異常時に流路を閉止する遮断弁と、前記遮断弁の駆動源である電池と、閉止状態にある遮断弁を復帰させる復帰部と、前記遮断弁の復帰状態を検知する復帰検知部と、前記復帰部の作動をロックし前記遮断弁の復帰動作を禁止する復帰ロック部と、前記流量計測部及び遮断弁の動作を制御すると共に前記電池の消耗状態を監視するマイクロコンピュータと、地震を検知するセンサと、前記流量計測部の情報及び前記センサ情報及び前記電池消耗監視手段の情報及びマイクロコンピュータの暴走動作を監視する暴走監視手段の情報等に基づいて出力される異常信号を予め定めた条件で分類する異常信号分類手段とを備え、前記異常信号分類手段で分類された異常信号に応じて遮断モードを選択する遮断モード選択手段を有し、前記遮断モード選択手段は、遮断弁に遮断信号を送ってガス流路を遮断状態とし、その後、所定の条件が満足されたとき復帰部を介して遮断弁をガス供給可能な状態に復帰させる第１の遮断モードと、遮断弁に遮断信号を送ると共に復帰ロック部に復帰不可信号を送って復帰部による復帰動作を禁止し、ガス流路の遮断状態を保持させる第２の遮断モードを有したガス遮断装置。
【請求項２】
第２の遮断モードは、暴走監視手段からの情報に基づいて異常信号が出力されたとき、遮断弁に遮断信号を出力するとともに、復帰ロック部に復帰不可信号を出力するようにした請求項１記載のガス遮断装置。
【請求項３】
第２の遮断モードは、電池消耗監視手段の情報に基づいて異常信号が出力されたとき、遮断弁に遮断信号を出力するとともに、復帰ロック部に復帰不可信号を出力するようにした請求項１記載のガス遮断装置。
【請求項４】
第１の遮断モードと第２の遮断モードを区別して集中監視センタへ転送する通信部を有する請求項１〜３のいずれか１項記載のガス遮断装置。
【請求項５】
ガスメータの状態を表示する表示器を備え、異常信号分類手段が第２の遮断モードを選択したとき前記表示器に復帰不可状態を表示させるロック表示手段とを有する請求項１〜４のいずれか１項記載のガス遮断装置。
【請求項６】
ガス流路に流れるガスの流量を検知し、遮断信号出力後に流量を検知すると遮断弁に遮断信号を出力する流量検知部を有する請求項１〜５のいずれか１項記載のガス遮断装置。
【請求項７】
復帰検知部が復帰不可信号を出力された後に復帰を検知した時、遮断弁を再び遮断させるために遮断信号を出力する復帰不可手段を有する請求項１〜６のいずれか１項記載のガス遮断装置。
【請求項８】
復帰検知部が復帰不可信号を出力された後に復帰を検知した時、復帰ロック部に再び復帰不可信号を出力する復帰不可手段を有する請求項１〜７のいずれか１項記載のガス遮断装置。
【発明の詳細な説明】
【技術分野】
【０００１】
本発明は、ガス使用上の安全を図る電池駆動のマイコンガスメータの異常時の回避動作機能を有するガス遮断装置に関するものである。
【背景技術】
【０００２】
従来のガス遮断装置において、マイクロコンピュータの発振回路に異常が発生しマイクロコンピュータが正常に動作できなくなった時に、マイクロコンピュータの動作異常を検出する検出手段があり、遮断弁を繰り返し閉止することでガスの使用を停止させていたが、遮断弁を動作させるための電源として電池が使用されており、ガス流路閉栓後に遮断弁、及びマイクロコンピュータの異常検出手段を駆動できる電圧を電池が十分に有していないときに遮断弁を復帰させると、一定期間ガスを使用することができる構成となっていた。（例えば特許文献１参照）
図３は、従来のガス遮断装置の構成を示すブロック図である。
【０００３】
図３おいて、マイコン２２の異常を検出する手段と異常検出時に遮断弁２８を周期的に繰り返し駆動する手段を備えている。前者の手段は、充電抵抗２４とコンデンサ７からなる充電回路と、マイコン２２が正常に動作している状態ではマイコン２２からの周期的な指令で、コンデンサ７の電荷を放電させる放電用トランジスタ２３と、コンデンサ２５の電位が上昇して所定値に達すると信号を発する二値化回路２６とで構成され、後者の手段は、二値化回路２６の有意信号で発振を開始する発振回路２７と発振回路２７の信号で動作するマイコン異常時遮断弁駆動用トランジスタ２９とで構成される。マイコン２２異常時に遮断弁２８を繰り返し駆動するので、手動による遮断弁２８の復帰によるガスの連続的な放出が避けられる構成となっている。
【特許文献１】特開平１０−１９６２８号公報
【発明の開示】
【発明が解決しようとする課題】
【０００４】
しかし、従来の図３に示すようなガス遮断装置の構成では、マイクロコンピュータの発振回路に異常が発生し、マイクロコンピュータの監視手段が異常検出することで遮断弁を閉栓し、その後に遮断弁を開栓した場合、遮断弁を再遮断する電圧を電池が有しているとは限らず、遮断能力がない状態でガスが使用できるという課題を有していた。
【０００５】
本発明は、上記従来の問題点を解決したもので、発振回路の動作異常によるマイクロコンピュータの異常を検出した場合や電池消耗状態が進んだ場合等、原因不明及び遮断能力がない状態での開栓復帰動作を禁止し、ガス遮断装置交換までの間のガス使用に伴う危険性を回避することを目的とする。
【課題を解決するための手段】
【０００６】
上記課題を解決するため本発明のガス遮断装置は、ガスメータのガス流路内に設けられガスの通過量を計測する流量計測部と、流路内に設けられ異常時に流路を閉止する遮断弁と、前記遮断弁の駆動源である電池と、閉止状態にある遮断弁を復帰させる復帰部と、前記遮断弁の復帰状態を検知する復帰検知部と、前記復帰部の作動をロックし前記遮断弁の復帰動作を禁止する復帰ロック部と、前記流量計測部及び遮断弁の動作を制御すると共に前記電池の消耗状態を監視するマイクロコンピュータと、地震を検知するセンサと、前記流量計測部の情報及び前記センサ情報及び前記電池消耗監視手段の情報及びマイクロコンピュータの暴走動作を監視する暴走監視手段の情報等に基づいて出力される異常信号を予め定めた条件で分類する異常信号分類手段とを備え、前記異常信号分類手段で分類された
異常信号に応じて、遮断弁に遮断信号を送ってガス流路を遮断状態とし、その後、所定の条件が満足されたとき復帰部を介して遮断弁をガス供給可能な状態に復帰させる第１の遮断モードと、遮断弁に遮断信号を送ると共に復帰ロック部に復帰不可信号を送って復帰部による復帰動作を禁止し、ガス流路の遮断状態を保持させる第２の遮断モードを有する遮断モード選択手段を備えたものである。
【０００７】
上記発明によれば、流量計測部の情報及びセンサ情報及び電池消耗監視手段の情報及びマイクロコンピュータの暴走動作を監視する暴走監視手段の情報等に基づいて出力される異常信号を予め定めた条件で分類する異常信号分類手段を備えているため、分類された異常信号に応じて異なる遮断モードを選択して遮断動作あるいは復帰動作さらには報知動作を行うことができ、異常信号のうち、暴走監視手段や電池消耗監視手段から出力されたもののように、原因が不明で復帰動作を行った場合に正常動作が保証できない異常、あるいは遮断弁の遮断能力が確保できない異常等については、遮断弁への遮断信号と復帰ロック部への復帰不可信号を出力する第２の遮断モードを選択することで、遮断状態を保持し、点検または交換が完了するまで使用不可の状態とすることができ安全性を確保できる。また、流量計測部からの情報やセンサ情報に基づいた原因が特定可能な異常信号に分類された場合は、遮断弁への遮断信号を出力した後に、復帰部への復帰信号を出力する第１の遮断モードを選択することで、容易に再使用が可能となり使い勝手の向上が図れる。
【発明の効果】
【０００８】
本発明のガス遮断装置は、分類された異常信号に応じて異なる遮断モードを選択して遮断動作あるいは復帰動作さらには報知動作を行うことができ、異常信号のうち、暴走監視手段や電池消耗監視手段から出力されたもののように、原因が不明で復帰動作を行った場合に正常動作が保証できない異常、あるいは遮断弁の遮断能力が確保できない異常等については、遮断弁への遮断信号と復帰ロック部への復帰不可信号を出力することで遮断状態を保持し、点検または交換が完了するまで使用不可の状態とすることができ安全性を確保できる。また、流量計測部からの情報やセンサ情報に基づいた原因が特定可能な異常信号に分類された場合は、遮断弁への遮断信号を出力した後に、復帰部への復帰信号を出力することで、容易に再使用が可能となり使い勝手の向上が図れる。
【発明を実施するための最良の形態】
【０００９】
第１の発明は、ガスメータのガス流路内に設けられガスの通過量を計測する流量計測部と、流路内に設けられ異常時に流路を閉止する遮断弁と、前記遮断弁の駆動源である電池と、閉止状態にある遮断弁を復帰させる復帰部と、前記遮断弁の復帰状態を検知する復帰検知部と、前記復帰部の作動をロックし前記遮断弁の復帰動作を禁止する復帰ロック部と、前記流量計測部及び遮断弁の動作を制御すると共に前記電池の消耗状態を監視するマイクロコンピュータと、地震を検知するセンサと、前記流量計測部の情報及び前記センサ情報及び前記電池消耗監視手段の情報及びマイクロコンピュータの暴走動作を監視する暴走監視手段の情報等に基づいて出力される異常信号を予め定めた条件で分類する異常信号分類手段とを備え、前記異常信号分類手段で分類された異常信号に応じて遮断モードを選択する遮断モード選択手段を有し、前記遮断モード選択手段は、遮断弁に遮断信号を送ってガス流路を遮断状態とし、その後、所定の条件が満足されたとき復帰部を介して遮断弁をガス供給可能な状態に復帰させる第１の遮断モードと、遮断弁に遮断信号を送ると共に復帰ロック部に復帰不可信号を送って復帰部による復帰動作を禁止し、ガス流路の遮断状態を保持させる第２の遮断モードを有したことを特徴とするものである。
【００１０】
そして、流量計測部の情報及びセンサ情報及び電池消耗監視手段の情報及びマイクロコンピュータの暴走動作を監視する暴走監視手段の情報等に基づいて出力される異常信号を予め定めた条件で分類する異常信号分類手段を備えているため、分類された異常信号に応じて異なる遮断モードを選択して遮断動作あるいは復帰動作さらには報知動作を行うこと
ができ、異常信号のうち、暴走監視手段や電池消耗監視手段から出力されたもののように、原因が不明で復帰動作を行った場合に正常動作が保証できない異常、あるいは遮断弁の遮断能力が確保できない異常等については、遮断弁への遮断信号と復帰ロック部への復帰不可信号を出力する第２の遮断モードを選択することで、遮断状態を保持し、点検または交換が完了するまで使用不可の状態とすることができ安全性を確保できる。また、流量計測部からの情報やセンサ情報に基づいた原因が特定可能な異常信号に分類された場合は、遮断弁への遮断信号を出力した後に、復帰部への復帰信号を出力する第１の遮断モードを選択することで、容易に再使用が可能となり使い勝手の向上が図れる。
【００１１】
第２の発明は、第２の遮断モードは、暴走監視手段からの情報に基づいて異常信号が出力されたとき、遮断弁に遮断信号を出力するとともに、復帰ロック部に復帰不可信号を出力するようにしたことを特徴とするものであります。
【００１２】
そして、マイクロコンピュータの暴走により制御不能状態となるような、原因不明の異常に対して復帰動作を行った場合に正常動作が保証できないことが想定されるので、このように状態において、遮断弁への遮断信号と復帰ロック部への復帰不可信号を出力する第２の遮断モードを選択することで遮断状態を保持し、点検または交換が完了するまで使用不可の状態とすることができ安全性を確保できる。
【００１３】
第３の発明は、第２の遮断モードは、電池消耗監視手段の情報に基づいて異常信号が出力されたとき、遮断弁に遮断信号を出力するとともに、復帰ロック部に復帰不可信号を出力するようにしたことを特徴とするものであります。
【００１４】
そして、遮断弁駆動用電池の電池電圧が低下し、遮断弁の遮断能力が確保できない異常であると分類した場合は、遮断後に復帰動作を行った場合、次回の遮断動作を確保できないことが想定それるので、このように状態において、遮断弁への遮断信号と復帰ロック部への復帰不可信号を出力する第２の遮断モードを選択することで遮断状態を保持し、点検または交換が完了するまで使用不可の状態とすることができ安全性を確保できる。
【００１５】
第４の発明は、第１の遮断モードと第２の遮断モードを区別して集中監視センタへ転送する通信部を有することを特徴とするものであります。
【００１６】
そして、選択された遮断モード別に集中監視センタに知らせることで、異常発生後、その異常内容に応じた適切かつ迅速な対応が可能となる。
【００１７】
第５の発明は、ガスメータの状態を表示する表示器を備え、異常信号分類手段が第２の遮断モードを選択したとき前記表示器に復帰不可状態を表示させるロック表示手段とを有することを特徴とするものであります。
【００１８】
そして、現場確認時に復帰不可状態の異常であることを容易に確認することができ、その異常内容に応じた適切かつ迅速な対応が可能となる。
【００１９】
第６の発明は、ガス流路に流れるガスの流量を検知し、遮断信号出力後に流量を検知すると遮断弁に遮断信号を出力する流量検知部を有することを特徴とするものであります。
【００２０】
そして、遮断信号出力後に流量計測手段によりガス流量が検出された場合、ガス流路を十分に遮断できなかったと判断し、ガス流路を再遮断することで確実にガス流路の閉栓状態を確保することができる。
【００２１】
第７の発明は、復帰検知部が復帰不可信号を出力された後に復帰を検知した時、遮断弁
を再び遮断させるために遮断信号を出力する復帰不可手段を有することを特徴とするものであります。
【００２２】
そして、遮断信号出力後に遮断弁の復帰が検出された時は、復帰ロック部が十分に復帰部をロックできなかったと判断し、ガス流路を再遮断することで確実にガス流路の閉栓状態を確保することができる。
【００２３】
第８の発明は、復帰検知部が復帰不可信号を出力された後に復帰を検知した時、復帰ロック部に再び復帰不可信号を出力する復帰不可手段を有したものである。
【００２４】
そして、復帰検知部が復帰不可信号を出力された後に遮断弁の復帰を検知した時は、復帰ロック部が十分に復帰部をロックできなかったと判断し、復帰ロック部を再ロックすることでガス流路の閉栓後の復帰入力を防ぐことができる。
【００２５】
以下、本発明の実施の形態におけるガス遮断装置について図面を参照しながら説明する。なお、この実施の形態によって本発明が限定されるものではない。
【００２６】
（実施の形態１）
図１は本発明の第１の実施の形態におけるガス遮断装置の構成図、図２は同実施の形態におけるガス流路の構成図である。
【００２７】
図１において、ガスメータ１のガス流路２内にはガスの通過量を計測するための流量計測手段２０が配置されており、この流量計測手段２０としては、例えば、超音波を送信または受信する第１送受信器２０Ａと受信または送信する第２送受信器２０Ｂが流れ方向に配置され、切換手段を有する計測制御部２１によって送受信の切換えが可能になっており、ガス等の流体の流れ状態を検出している。
【００２８】
この第１送受信器２０Ａと第２送受信器２０Ｂの信号を処理して流量を計測するもので、具体的には、まず計測制御部２１により第１送受信器２０Ａを駆動し、第２送受信器２０Ｂに向け、すなわち上流から下流に超音波を送信する。そして第２送受信器２０Ｂで受信した信号を計測制御部２１に設けた増幅手段により増幅し、この増幅された信号は基準信号と比較され、基準信号以上の信号が検出された後、計測制御部２１に設けた繰り返し手段により上記の送受信を所定の回数を繰り返し、それぞれの時間値を計測制御部２１に設けたタイマカウンタのような計時手段で計測する。
【００２９】
次に、切換手段を有する計測制御部２１で第１送受信器２０Ａと第２送受信器２０Ｂの送受信を切り換えて、第２送受信器２０Ｂから第１送受信器２０Ａ、すなわち下流から上流に向かって超音波信号を送信し、この送信を前述のように繰り返し、それぞれの時間値を計測する。そして、第１送受信器２０Ａと第２送受信器２０Ｂとの超音波の伝搬時間差から流路２の大きさや流体の流れ状態を考慮して信号処理手段２２で流量値を求める。
【００３０】
また、流量計測手段２０が配置された流路２内には異常時等にガスの流れを遮断する遮断弁３が設けられ、この遮断弁３を駆動させる電源としてガスメータ１内に電池４が内蔵され、計測制御等の電源としても使用している。
【００３１】
また、ガスメータ１には、異常発生により遮断状態となった遮断弁３を、原因を除去した後、ガス供給状態に復帰させるための復帰部５を有し、この復帰部５により遮断弁３がガス供給状態に復帰した場合、この復帰状態を検知するための復帰検知部６が設けられている。
【００３２】
また、遮断弁３の遮断状態を保つ必要があるような事態が発生した場合に、復帰部５による復帰動作を禁止するための復帰ロック部７が設けられており、本実施の形態では、復帰部５は遮断時に自己保持状態にある遮断弁３を機械的に作用させることで開栓状態に復帰させる構成とし、復帰ロック部７は、復帰不可信号が出力されたとき復帰部５の機械的復帰動作ができない手段を有する構成としているが、本実施の形態に限定されるものではなく、電気的に同様の作用を有する構成としてもよく、電気的手段と機械的手段を組み合わせたものでもよいものである。
【００３３】
また、流量計測手段２０の計測制御、流量演算、各種センサからの信号処理、遮断弁３の駆動・復帰制御等を行うマイクロコンピュータ８が設けられ、このマイクロコンピュータ８には電池４の電圧を監視し消耗状態を判定するための電池電圧検知手段が内蔵されており、電池電圧が低下し遮断弁３の遮断能力に影響を及ぼすと判定された場合に異常信号を出力する電池消耗監視手段２５を設けている。なお、電池電圧検知手段をマイクロコンピュータ８に内蔵せず電池消耗監視手段２５と一体的に形成し別途設けた構成としたものでもよい。
【００３４】
また、マイクロコンピュータ８の動作を監視する暴走監視手段９を設け、暴走監視手段９は、正常動作時にマイクロコンピュータ８からパルス信号を出力させ、このパルス信号を微分・積分する回路を設けて所定電圧の信号を出力し、マイクロコンピュータ８自体が暴走して異常状態になった場合はパルス信号が停止することで微分・積分回路からの出力がなくなり、この回路出力によりマイクロコンピュータ８自体が暴走して異常状態になっているか否かを判断するようにしている。
【００３５】
また、ガスメータ１内に地震検知用のセンサ２６を設け、このセンサ２６からの信号をマイクロコンピュータ８に入力することで異常時にセンサ異常情報として出力するセンサ異常検知手段２７を設けている。
【００３６】
また、流量計測手段２０で計測される流体の流れ状態から流量値を求める信号処理手段２２の流量信号を入力し、遮断弁３が何らかの原因により遮断状態にあるときに流量信号を検知するとマイクロコンピュータ８に入力する流量検知部２３を有し、この流量検知部２３から信号が入力されるとマイクロコンピュータ８は遮断弁３が完全に閉止されていないと判断して、漏れ検知信号として出力する漏れ異常検知手段２８を設けている。
【００３７】
また、マイクロコンピュータ８のクロック信号を発生するための発振回路１０が設けられており、この発振回路１０の動作が正常か否か、つまりクロック信号が正常にマイクロコンピュータ８に供給されているか否かを監視するためのクロック監視手段１１が設けられている。
【００３８】
そして、電池消耗監視手段２５、暴走監視手段９、センサ異常検知手段２７、漏れ異常検知手段２８、クロック監視手段１１からの異常信号が入力され、予め定めた条件で復帰動作を可能とする異常と、復帰動作を不可とする異常に分類する異常信号分類手段２９を設けている。
【００３９】
異常信号分類手段２９は、分類された異常信号に応じて遮断弁３に遮断信号ａを送ってガス流路２を遮断状態とし、その後、所定の条件が満足されたとき復帰部５を介して遮断弁３をガス供給可能な状態に復帰させる第１の遮断モードと、遮断弁３に遮断信号ａを送ると共に復帰ロック部７に復帰不可信号ｂを送って復帰部５による復帰動作を禁止し、ガス流路２の遮断状態を保持させる第２の遮断モードを有している。
【００４０】
そして、第２の遮断モードを分類する条件として、原因が不明で復帰動作を行った場合
に正常動作が保証できない異常、あるいは遮断弁の遮断能力が確保できない異常等があり、例えば、暴走監視手段９や電池消耗監視手段２５やクロック監視手段１１から出力された異常信号については、遮断弁３への遮断信号ａと復帰ロック部７への復帰不可信号ｂを出力することで遮断状態を保持するようにしている。これにより、点検または交換が完了するまで使用不可の状態とすることができ安全性を確保できる。
【００４１】
また、流量計測部からの情報やセンサ情報に基づいた原因が特定可能な異常信号に分類された場合、例えば、センサ異常検知手段２７や漏れ異常検知手段２８からの異常信号については、遮断弁３への遮断信号ａを出力した後に、復帰部５への復帰信号を出力することで、容易に再使用が可能となり使い勝手の向上が図れる。
【００４２】
さらに、第１の遮断モードにおいて、遮断弁３のゴミ詰まり等により閉止状態が完全でない場合、つまり漏れ異常検知手段２８からの異常信号については、単に遮断信号を出力するだけではなく、遮断弁３に遮断信号ａを振動的に出力し、遮断箇所にごみ等が付着した場合の排除動作を行いつつ確実な遮断性能を確保する第３の遮断モードを有するようにしてもよい。
【００４３】
また、マイクロコンピュータ８のクロック信号を発生するための発振回路１０が設けられており、この発振回路１０の動作が正常か否か、つまりクロック信号が正常にマイクロコンピュータ８に供給されているか否かを監視するためのクロック監視手段１１が設けられている。そして、クロック監視手段１１でクロック信号の異常が検知された場合は異常信号分類手段２９に入力され、復帰ロック部７に復帰不可信号ｂを出力し、遮断弁３の復帰動作を禁止するようにしている。
【００４４】
以上のように、本実施の形態では、遮断弁３の遮断状態を保つ必要があるような事態として、暴走監視手段９、電池消耗監視手段２５、クロック監視手段１１からの異常信号について説明したが、これに限定されるものではなく、ガスメータ１が有する機能において復帰動作を行ってはいけないと想定される異常に対して第２の遮断モードを設定するようにすればよいものである。
【００４５】
次に、復帰ロック部７の一実施の形態として図２を用いて説明する。図２において、遮断弁３は自己保持型ソレノイドで、無通電状態でも永久磁石１２の磁力による吸着保持力が得られるため、復帰部５に外力を加えて弁本体１３を押し戻してやることで、弁本体１３が吸着、保持されるため、ガス流路２を復帰（開栓）させることができる。
【００４６】
また、ガス流路２の遮断（閉栓）は永久磁石１２の磁力を打ち消すように、吸引動作の逆極性の電流をコイル１４に加えて吸着保持力を小さくし、スプリング１５の外部の戻し力により弁本体１３を引き離すことでガス流路２を遮断（閉栓）することができる。
【００４７】
復帰ロック部７は復帰部５の外力を加える箇所に設けられ、復帰不可信号ｂを受け取ると、外力を妨害するシャッター１５を閉めることで復帰部５に外力が加えられない構造にしたものである。
【００４８】
（実施の形態２）
図１を用いて本発明の第２の実施の形態におけるガス遮断装置を説明する。なお、実施の形態１と同一符号のものは同一構造を有し、説明は省略する。
【００４９】
実施の形態１と異なる点は、異常信号分類手段２９で選択された遮断モード別にを集中監視センタへ転送する通信部１７と、ガスメータの状態を表示する表示器１８と、異常信号分類手段２９で第２の遮断モードが選択されたとき表示器１８に復帰不可状態を表示さ
せるロック表示手段１９と、ガス流路２に流れるガスの流量を検知し、遮断信号ａ出力後に流量を検知すると遮断弁３に遮断信号ａを出力する流量検知部２３と、復帰検知部６が復帰不可信号ｂを出力された後に復帰を検知した時、遮断弁３を再び遮断させるために遮断信号ａを出力するとともに、復帰検知部６が復帰不可信号ｂを出力された後に復帰を検知した時、復帰ロック部７に再び復帰不可信号ｂを出力する復帰不可手段２４とを有したものである。
【００５０】
上記構成によれば、異常信号分類手段２９で分類された異常信号に応じて選択される第１の遮断モードまたは第２の遮断モードを区別して異常が発生したことを集中監視センタに知らせることにより、異常発生後、速やかに現場に向かうことができ、迅速な対応が可能となる。
【００５１】
また、現場確認時に原因が不明で復帰動作を行った場合に正常動作が保証できない異常、あるいは遮断弁の遮断能力が確保できない異常であることが一目瞭然に確認することができ、慎重な原因究明が必要である旨を点検者あるいはユーザーに知らせることで、正確な処置を行うことができる。
【００５２】
さらに、遮断信号ａ出力後にガス流量が流れた場合、ガス流路２を十分に遮断できなかったと判断し、ガス流路２を再遮断することでガス流路２の閉栓することができる。
【００５３】
また、遮断信号ａ出力後に遮断弁３が復帰された時に、復帰ロック部７が十分に復帰部５をロックできなかったと判断し、ガス流路２を再遮断することでガス流路２を閉栓することができる。
【００５４】
そして、復帰検知部６が復帰不可信号ｂを出力された後に復帰を検知した時に、復帰ロック部７が十分に復帰部５をロックできなかったと判断し、復帰ロック部７を再ロックすることでガス流路２の閉栓後の復帰入力を防ぐことができる。
【産業上の利用可能性】
【００５５】
本発明にかかるガス遮断装置は、ガスメータ以後のガス使用時にガス使用上の安全を図るガス遮断装置に関するものである用途に適用することができる。
【図面の簡単な説明】
【００５６】
【図１】本発明の実施の形態１、２におけるガス遮断装置の構成図
【図２】（ａ）本発明の実施の形態１、２における開栓時のガス流路の構成図（ｂ）同実施の形態における閉栓時のガス流路の構成図
【図３】従来のガス遮断装置の構成図
【符号の説明】
【００５７】
１  ガスメータ
２  ガス流路
３  遮断弁
４  電池
５  復帰部
６  復帰検知部
７  復帰ロック部
８  マイクロコンピュータ
９  暴走監視手段
１０  発振回路
１１  クロック監視手段
１７  通信部
１８  表示器
１９  ロック表示手段
２３  流量検知部
２４  復帰不可手段
２５  電池消耗監視手段
２６  地震センサ
２７  センサ異常検知手段
２８  漏れ異常検知手段
２９  異常信号分類手段（遮断モード選択手段）
【図１】
2008002828.tif 000003
【図２】
2008002828.tif 000004
【図３】
2008002828.tif 000005